(57)【要約】【課題】光ディスクのチャッキングが解除された状態で振動や衝撃その他の異常な外力が作用しても、光ピックアップのロックが外れてギアの位相ズレを生じる心配がない光ディスク装置を提供する。【解決手段】光ディスクのチャッキングが解除された状態で光ピックアップ５のロックが解除されないようにするロック解除防止手段として、ターンテーブル４に対して光ピックアップ５が離反しないように光ピックアップ５のラック５ａの端面を当止する突起１ｃを、トラバースシャーシ２が上昇したチャッキング状態のときに光ピックアップのラック５ａの端面に当たらない高さとなるように、メインシャーシ１の底部１ｂから一体的に突設した構成の光ディスク装置とする。突起１ｃで光ピックアップ５のラック５ａの端面を当止してロックが外れないようにし、ギアの位相ズレを防止して一連の制御動作を確実に行わせる。【選択図】図６
2007242109.tif 000002
【特許請求の範囲】
【請求項１】
クランパーを備えたメインシャーシに、光ピックアップをターンテーブルに対して接近・離反可能に搭載したトラバースシャーシを上下揺動可能に取付け、このトラバースシャーシに光ピックアップのロック手段を備えたレバートリガーを取付け、このトラバースシャーシを上下に揺動させるカムスライダーをメインシャーシに取付け、光ディスクを載置するトレイをトラバースシャーシとクランパーとの間に配置してメインシャーシに挿入・排出可能に取付け、駆動力伝達歯車機構を介して駆動モーターの駆動力を光ピックアップ、カムスライダー、トレイのそれぞれのラックに順次伝達することにより、光ピックアップがターンテーブルに対して所定位置まで接近したときに、光ピックアップがレバートリガーに備えられたロック手段でロックされると共に、カムスライダーが作動してトラバースシャーシが下降し、クランパーとターンテーブルによる光ディスクのチャッキングが解除されて、トレイがメインシャーシから排出されるように構成した光ディスク装置において、
上記チャッキングが解除された状態で上記光ピックアップのロックが解除されないようにするロック解除防止手段として、上記ターンテーブルに対して上記光ピックアップが離反しないように上記光ピックアップのラックの端面を当止する突起を、上記トラバースシャーシが上昇したチャッキング状態のときに上記光ピックアップのラックの端面に当たらない高さとなるように、上記メインシャーシの底部から一体的に突設したことを特徴とする光ディスク装置。
【請求項２】
クランパーを備えたメインシャーシに、光ピックアップをターンテーブルに対して接近・離反可能に搭載したトラバースシャーシを上下揺動可能に取付け、このトラバースシャーシに光ピックアップのロック手段を備えたレバートリガーを取付け、このトラバースシャーシを上下に揺動させるカムスライダーをメインシャーシに取付け、光ディスクを載置するトレイをトラバースシャーシとクランパーとの間に配置してメインシャーシに挿入・排出可能に取付け、駆動力伝達歯車機構を介して駆動モーターの駆動力を光ピックアップ、カムスライダー、トレイのそれぞれのラックに順次伝達することにより、光ピックアップがターンテーブルに対して所定位置まで接近したときに、光ピックアップがレバートリガーに備えられたロック手段でロックされると共に、カムスライダーが作動してトラバースシャーシが下降し、クランパーとターンテーブルによる光ディスクのチャッキングが解除されて、トレイがメインシャーシから排出されるように構成した光ディスク装置において、
上記チャッキングが解除された状態で上記光ピックアップのロックが解除されないようにするロック解除防止手段を設けたことを特徴とする光ディスク装置。
【請求項３】
上記ロック解除防止手段として、上記ターンテーブルに対して上記光ピックアップが離反しないように上記光ピックアップを当止するストッパーを設けたことを特徴とする請求項２に記載の光ディスク装置。
【請求項４】
上記ストッパーが、上記メインシャーシの底部から一体的に突設した突起であることを特徴とする請求項３に記載の光ディスク装置。
【発明の詳細な説明】
【技術分野】
【０００１】
本発明は、ＣＤ、ＤＶＤなどの光ディスクに記録・再生を行う光ディスク装置に関し、特に、主要部品を作動させるギアのいわゆる位相ズレをなくすように改良した光ディスク装置に関する。
【背景技術】
【０００２】
本出願人は、クランパーを備えたメインシャーシに、光ピックアップをターンテーブルに対して接近・離反可能に搭載したトラバースシャーシを上下揺動可能に取付け、このトラバースシャーシに光ピックアップのロック手段を備えたレバートリガーを取付け、このトラバースシャーシを上下に揺動させるカムスライダーをメインシャーシに取付け、光ディスクを載置するトレイをトラバースシャーシとクランパーとの間に配置してメインシャーシに挿入・排出可能に取付け、駆動モーターの駆動力を伝達する駆動力伝達歯車機構を設けた光ディスク装置を開発した。
【０００３】
この光ディスク装置は、駆動力伝達歯車機構を介して駆動モーターの駆動力を光ピックアップ、カムスライダー、トレイのそれぞれのラックに順次伝達することによって、光ピックアップがターンテーブルに対して所定位置まで接近したときに、光ピックアップがレバートリガーに備えられたロック手段でロックされると共に、カムスライダーが作動してトラバースシャーシが下降し、クランパーとターンテーブルによる光ディスクのチャッキングが解除されて、トレイがメインシャーシから排出されるように構成されたものであり、光ディスクをトレイに載せて挿入するときは、上記と逆動作して光ディスクがチャッキングされ、光ピックアップが移動しながらレーザービームを光ディスクに照射して記録・再生が行われるものである。
【０００４】
また、本出願人は、光ピックアップの枠に弾性当り部を設けると共に、この光ピックアップをピニオン・ラック機構によりターンテーブルに対して接近・離反可能にトラバースシャーシに搭載し、このトラバースシャーシに上記弾性当り部を受止める受部を折曲形成した光ディスク装置も提案している（特許文献１）。
【０００５】
一方、光ピックアップが慣性によって所定位置よりもターンテーブルの方へ接近しないようにストッパーを設けた光ディスク装置（特許文献２）や、光ピックアップのラックと駆動歯車との噛合が外れないようにラックを背後から当止する外れ防止用突部を電動機取付基板に形成した光ディスク装置（特許文献３）も知られている。
【特許文献１】特開２０００−２６０１３３号公報
【特許文献２】特開２００４−３３４９１８号公報
【特許文献３】特開平１０−１０６１８７号公報
【発明の開示】
【発明が解決しようとする課題】
【０００６】
本出願人が開発した前記の光ディスク装置は、一つの駆動モーターによって光ピックアップ、カムスライダー、トレイを既述したように制御して作動させることができるといった利点を有するものであるが、トラバースシャーシが下降して光ディスクのチャッキングが解除された状態のときに、振動、衝撃その他の異常な外力が作用すると、レバートリガーに備えられたロック手段による光ピックアップのロックが解除される場合がある。このようにロックが解除されると、光ピックアップがターンテーブルに対して離反方向に移動し、チャッキングが解除された状態のときに噛合してはならない光ピックアップのラックと駆動力伝達歯車機構の歯車とが噛合して、所謂、ギアの位相ズレが発生するため、上述した光ピックアップ、カムスライダー、トレイの一連の制御動作を行うことが不可能になる。
【０００７】
このような問題は、特許文献１の光ディスク装置のように、受部によって光ピックアップの暴走を定位置で阻止し、そのときの衝撃を弾性当り部によって吸収するように改良したものでは、解決することができない。また、引用文献２の光ディスク装置のように、光ピックアップの慣性によるターンテーブル側への移動を阻止するストッパーを設けたものや、引用文献３の光ディスク装置のように、光ピックアップのラックと駆動歯車との外れ防止用突部を形成したものによっても、上記の問題を解決することはできない。
【０００８】
本発明は以上の事情の下になされたもので、光ディスクのチャッキングが解除された状態で振動や衝撃その他の異常な外力が作用しても、光ピックアップのロックが外れてギアの位相ズレを生じる心配がない光ディスク装置を提供することを解決すべき課題としている。
【課題を解決するための手段】
【０００９】
上記課題を解決するため、本発明の光ディスク装置は、クランパーを備えたメインシャーシに、光ピックアップをターンテーブルに対して接近・離反可能に搭載したトラバースシャーシを上下揺動可能に取付け、このトラバースシャーシに光ピックアップのロック手段を備えたレバートリガーを取付け、このトラバースシャーシを上下に揺動させるカムスライダーをメインシャーシに取付け、光ディスクを載置するトレイをトラバースシャーシとクランパーとの間に配置してメインシャーシに挿入・排出可能に取付け、駆動力伝達歯車機構を介して駆動モーターの駆動力を光ピックアップ、カムスライダー、トレイのそれぞれのラックに順次伝達することにより、光ピックアップがターンテーブルに対して所定位置まで接近したときに、光ピックアップがレバートリガーに備えられたロック手段でロックされると共に、カムスライダーが作動してトラバースシャーシが下降し、クランパーとターンテーブルによる光ディスクのチャッキングが解除されて、トレイがメインシャーシから排出されるように構成した光ディスク装置において、上記チャッキングが解除された状態で上記光ピックアップのロックが解除されないようにするロック解除防止手段を設けたことを特徴とするものである。
【００１０】
本発明の光ディスク装置においては、ロック解除防止手段として、ターンテーブルに対して光ピックアップが離反しないように光ピックアップを当止するストッパーを設けることが好ましく、このストッパーはメインシャーシの底部から一体的に突設した突起であることが好ましい。
【００１１】
そして、本発明の一層具体化された好ましい光ディスク装置は、上記チャッキングが解除された状態で光ピックアップのロックが解除されないようにするロック解除防止手段として、ターンテーブルに対して光ピックアップが離反しないように光ピックアップのラックの端面を当止する突起を、トラバースシャーシが上昇したチャッキング状態のときに光ピックアップのラックの端面に当たらない高さとなるように、メインシャーシの底部から一体的に突設したことを特徴とするものである。
【発明の効果】
【００１２】
本発明の光ディスク装置は、トラバースシャーシが下降してクランパーとターンテーブルによる光ディスクのチャッキングが解除された状態のときに、ロック解除防止手段によって、光ピックアップのロックが解除されないため、光ピックアップがターンテーブルに対して離反方向に移動することにより、光ピックアップのラックが駆動力伝達歯車機構の歯車と噛合してギアの位相ズレを生じることはなく、従って、光ピックアップ、カムスライダー、トレイの一連の制御された動作が不可能になる心配はない。
【００１３】
そして、ロック解除防止手段として、ターンテーブルに対して光ピックアップが離反しないように光ピックアップを当止するストッパーを設けたものは、このストッパーで光ピックアップを確実に当止してロックの解除を防止することができ、このストッパーとしてメインシャーシの底部から突起を一体的に突設したものは、部品点数の増加がなく、メインシャーシの成形金型を少し変更するだけで簡単且つ安価にストッパーを一体成形できるので、製造コストの増加を実質的に抑えることができる。
【００１４】
また、一層具体的化された好ましい光ディスク装置のように、光ピックアップのラックの端面を当止する突起を、トラバースシャーシが上昇したチャッキング状態のときに該ラックの端面に当たらない高さとなるようにメインシャーシの底部から一体的に突設してあると、上記の作用効果に加えて、チャッキング時に光ピックアップの移動が突起によって妨げられる心配がなく、しかも、光ピックアップの他の部分を突起で当止する場合のように光ピックアップの主要部品等が突起に当たって損傷する心配もなくなる。
【発明を実施するための最良の形態】
【００１５】
以下、図面を参照して本発明の具体的な実施形態を詳述する。
【００１６】
図１は本発明の一実施形態に係る光ディスク装置の概略平面図、図２はトレイを透視して示す同装置の概略透視平面図、図３は前方から見た同装置の概略部分構成図、図４は側方から見た同装置の概略部分構成図、図５はチャッキング状態の同装置の概略断面図、図６はチャッキングが解除された状態の同装置の概略断面図である。
【００１７】
この光ディスク装置は、メインシャーシ１、トラバースシャーシ２、クランパー３、ターンテーブル４、光ピックアップ５、レバートリガー６、カムスライダー７、トレイ８、駆動力伝達歯車機構９などの主要部品で構成されている。
【００１８】
図１、図３に示すように、メインシャーシ１には左右方向のブリッジ部１ａが形成されており、このブリッジ部１ａの中央のホルダー部にはクランパー３が回転自在に保持されている。また、図５、図６に示すように、このメインシャーシ１の底部１ｂには、本発明の特徴とするロック解除防止手段としての突起１ｃが一体的に突設されている。なお、この突起１ｃについては後で詳しく説明する。
【００１９】
メインシャーシ１の内側には、図２、図５、図６に示すように、トラバースシャーシ２がその後端部で上下揺動可能に取付けられており、このトラバースシャーシ２には、ターンテーブル４と光ピックアップ５が搭載されている。ターンテーブル４は、トラバースシャーシ２が上昇したときにクランパー３との間に光ディスクを挟んでチャッキングし、スピンドルモータＭ１で回転するようになっている。
【００２０】
また、光ピックアップ５は、図２に示すように、左右のガイド軸１０ａ，１０ｂ（主軸と副軸）に沿って、ターンテーブル４に対して接近・離反可能に、つまり前後方向に往復移動可能に搭載されている。そして、後述するように、駆動モータＭ２から駆動力が駆動力伝達歯車機構９を介して光ピックアップ５のラック５ａに伝達され、光ピックアップ５がターンテーブル４に接近する方向（光ディスクの求心方向）に移動しながら、対物レンズ５ｂからレーザービームを光ディスクに照射して記録・再生が行われるようになっている。
【００２１】
図２、図５、図６に示すように、このトラバースシャーシ２の前端部には、レバートリガー６が光ピックアップ５のラック５ａの前方に位置して左右移動可能に取付けられており、また、メインシャーシ１の前端部内側には、トラバースシャーシ２を上下に揺動させるカムスライダー７がレバートリガー６の前方に位置して左右移動可能に取付けられている。そして、図３、図５、図６に示すように、トラバースシャーシ２の前端の摺動ボス２ａがカムスライダー７のカム溝７ａ（上部水平溝部と傾斜溝部と下部水平溝部からなるカム溝）に背後から挿入されて係合すると共に、レバートリガー６の連結ボス６ａがカムスライダー７の連結溝７ｂ（傾斜溝部と下部水平溝部からなる連結溝）に背後から挿入されて係合している。また、カムスライダー７の一端部（図２では右端部）には、ラック７ｅが形成されている。
【００２２】
上記のレバートリガー６には、図２に示すように、ガイド溝６ｂ（斜行溝部と横溝部からなるガイド溝）が裏面側に形成されており、このガイド溝６ｂに光ピックアップ５のラック前端のラックボス５ｃが挿入されるようになっている。このガイド溝６ｂは、トラバースシャーシ２が下降して光ディスクのチャッキングが解除されたときに、ラックボス５ｃがガイド溝６ｂの横溝部に係止して、光ピックアップ５がターンテーブル４から離反する方向に移動しないようにロックするロック手段を兼ね備えたものである。
【００２３】
図５，図６に示すように、トラバースシャーシ２とクランパー４との間には、光ディスクを載置するトレイ８が配置されてメインシャーシ１の内側に挿入・排出可能に取付けられている。このトレイ８には、トラバースシャーシ２を上昇させたときにターンテーブル４や光ピックアップ５が下方から突入する略長方形の開口部８ａ（図１参照）が形成されており、また、トレイ８の裏面には、図１、図２に示すように、トレイラック８ｂと、長ガイド溝８ｃ（縦溝部と斜行溝部と横溝部からなるガイド溝）と、短ガイド溝８ｄ（斜行溝部と横溝部からなるガイド溝）が形成されている。そして、これらのガイド溝８ｃ，８ｄには、カムスライダー７の上面の立設ボス７ｃ，７ｄがそれぞれ下方から突入して係合されている。
【００２４】
メインシャーシ１に取付けられた駆動モータＭ２の駆動力を光ピックアップ５のラック５ａ、カムスライダー７のラック７ｅ、トレイ８のラック８ｂに伝達する駆動力伝達歯車機構９は、図２に示すように、駆動モータＭ２の出力歯車１１に噛合する第一大歯車９ａ及びその下側に一体化された第一小歯車９ｂと、この第一小歯車９ｂに噛合する第二大歯車９ｃ及びその下側に一体化された第二小歯車９ｄと、この第二小歯車９ｄに噛合する第三大歯車９ｅと、この第三大歯車９ｅに噛合する伝達切替歯車９ｆとからなるものであって、伝達切替歯車９ｆ以外の各歯車はトラバースシャーシ２に設けられており、伝達切替歯車９ｆはメインシャーシ１に設けられている。
【００２５】
そして、駆動力伝達歯車機構９の第一小歯車９ｂは光ピックアップ５のラック５ａと噛合し、伝達切替歯車９ｆはカムスライダー７のラック７ｅとトレイラック８ｂに噛合するようになっている。この伝達切替歯車９ｆは、図４に示すように歯のない間欠部９ｇが形成されたもので、トラバースシャーシ２が上昇したチャッキング状態では、第三大歯車９ｅが間欠部９ｇに位置し、駆動力が伝達切替歯車９ｆを介してカムスライダー７のラック７ｅに伝達されないようになっている。
【００２６】
図５、図６に示すように、メインシャーシ１の左右側壁部を連結する帯状の底部１ｂには上向きの突起１ｃが一体的に形成されている。この突起１ｃは、図６に示すようにトラバースシャーシ２が下降して光ディスクのチャッキングが解除されたとき、光ピックアップ５のラック５ａの後端面を当止することにより、光ピックアップ５のロック、即ち、レバートリガー６のガイド溝６ｂによる光ピックアップ５のロックが外れて、光ピックアップ５がターンテーブル４から離反する方向（後方）に移動するのを阻止するストッパーとして形成されたものであり、図５に示すように、トラバースシャーシ２が上昇して光ディスクがチャッキングされた状態のときにラック５ａの後端面に当たらない高さに形成されている。
【００２７】
次に、上記構成の光ディスク装置の動作について説明する。光ディスクを排出する場合は、駆動モータＭ２の出力歯車１１を右回転させて駆動力伝達歯車機構９の第一小歯車９ｂを左回転させ、光ピックアップ５とそのラック５ａをターンテーブル４に向かって移動させる。このとき、駆動力伝達歯車機構９の第三大歯車９ｅは、図４に示すように伝達切替歯車９ｆの間欠部９ｇに位置するため、駆動力は伝達切替歯車９ｆを介してカムスライダー７のラック７ｅに伝達されず、カムスライダー７は作動しない。
【００２８】
そして、図２に示すように、光ピックアップ５とそのラック５ａが更にターンテーブル４に近づいて所定の位置に達すると、ラック５ａの前端面のラックボス５ｃがレバートリガー６のガイド溝６ｂに挿入され、このガイド溝６ｂの斜行溝部を摺動しながらレバートリガー６を左方向に移動させてガイド溝６ｂの横溝部に達し、ラックボス５ｃがガイド溝６ｂの横溝部に係止して、光ピックアップ５がターンテーブル４から離反する方向に移動しないようにロックされる。
【００２９】
レバートリガー６が左方へ移動すると、図３に示すようにレバートリガー６の連結ボス６ａがカムスライダー７の連結溝７ｂに係合しているため、レバートリガー６と共にカムスライダー７も左方へ移動する。すると、カムスライダー７のラック７ｅに噛合している伝達切替歯車９ｆが右回転して、駆動力伝達歯車機構９の第三大歯車９ｅと伝達切替歯車９ｆが噛合し、駆動力がカムスライダー７のラック７ｅに伝達されるため、カムスライダー７は更に左方へ移動する。
【００３０】
上記のようにカムスライダー７が更に左方へ移動すると、カム溝７ａに挿入されているトラバースシャーシ２の摺動ボス２ａがカム溝７ａの傾斜溝部を摺動降下すると共に、レバートリガー６の連結ボス６ａもカムスライダー７の連結溝７ｂの傾斜溝部を摺動下降するため、トラバースシャーシ２は図６に示すように下降した状態となり、ターンテーブル４がクランパーか３から離れて光ディスクのチャッキングが解除されると共に、第三大歯車９ｅが伝達切替歯車９ｆと常時噛合するようになる。
【００３１】
カムスライダー７の左方への移動に伴って、その上面の立設ボス７ｃ，７ｄは図２に示すトレイ８の裏面の長ガイド溝８ｃと短ガイド溝８ｄを摺動し、これらガイド溝の斜行溝部を摺動するときにトレイ８が前方へ少し押し出され、その後、カムスライダー７のラック７ｅと伝達切替歯車９ｆとの噛合が解除される。このようにトレイ８が少し押し出されると、伝達切替歯車９ｆとトレイラック８ｂが噛合して駆動力がトレイラック８ｂに伝達されるため、トレイ８は前方に向かって所定の位置まで排出される。
【００３２】
一方、光ディスクをトレイ８に載せて挿入する場合は、トレイ８、カムスライダー７、トラバースシャーシ２、レバートリガー６、光ピックアップ５が上記と逆動作し、ターンテーブル４とクランパー３で光ディスクがチャッキングされる。
【００３３】
トラバースシャーシ２が図６に示すように下降し光ディスクのチャッキングが解除された状態において、振動、衝撃その他の異常な外力が作用し、レバートリガー６のガイド溝６ｂによる光ピックアップ５のラックボス５ｃのロックが外れると、光ピックアップ５とそのラック５ａがターンテーブル４から離反する方向（後方）に少し移動して、ラック５ａと駆動力伝達歯車機構９の第一小歯車９ｂが噛合し、所謂、ギアの位相ズレが発生するため、上述した光ピックアップ５、カムスライダー７、トレイ８の一連の制御動作を行うことが不可能になる。けれども、この光ディスク装置は、トラバースシャーシ２が下降して光ディスクのチャッキングが解除された状態のときに、図６に示すように、ロック解除防止手段としてメインシャーシ１の底部１ｂから突設した突起１ｃによって、光ピックアップ５のラック５ａの後端部を当止してロックが外れないようにし、光ピックアップ５とそのラック５ａがターンテーブル４から離反する方向に移動しないようにしたため、光ピックアップ５のラック５ａと第一小歯車９ｃが噛合して所謂ギアの位相ズレを生じることがなく、従って、光ピックアップ５、カムスライダー７、トレイ８の一連の制御された動作が不可能になる心配はない。
【００３４】
ロック解除防止手段としては、上記の突起１ｃ以外にも種々の手段を採用することが考えられるが、この実施形態の光ディスク装置のように、メインシャーシ１の底部１ｂから上記の突起１ｃを一体的に突設してあると、上記の突起１ｃによって光ピックアップ５のラック５ａの後端面を当止してロック解除を確実に防止することができ、光ピックアップ５の主要光学部品等が突起１ｃに当たって損傷する心配や、チャッキング時に光ピックアップ５の移動が突起１ｃによって妨げられる心配がなく、しかも、部品点数や組立工数を増加させないで、メインシャーシ１の成形金型を少し変更するだけで簡単且つ安価に突起１ｃを一体成形できるので、製造コストの増加を実質的に抑えることもできる。
【図面の簡単な説明】
【００３５】
【図１】本発明の一実施形態に係る光ディスク装置の概略平面図である。
【図２】トレイを透視して示す同装置の概略透視平面図である。
【図３】前方から見た同装置の概略部分構成図である。
【図４】側方から見た同装置の概略部分構成図である。
【図５】チャッキング状態の同装置の概略断面図である。
【図６】チャッキングが解除された状態の同装置の概略断面図である。
【符号の説明】
【００３６】
１    メインシャーシ
１ｂ  メインシャーシの底部
１ｃ  突起（ロック解除防止手段）
２    トラバースシャーシ
３    クランパー
４    ターンテーブル
５    光ピックアップ
５ａ  光ピックアップのラック
５ｃ  光ピックアップのラックボス
６    レバートリガー
６ｂ  レバートリガーのガイド溝（光ピックアップのロック手段）
７    カムスライダー
７ｅ  カムスライダーのラック
８    トレイ
８ｂ  トレイラック
９    駆動力伝達歯車機構
Ｍ２  駆動モータ
【図１】
2007242109.tif 000003
【図２】
2007242109.tif 000004
【図３】
2007242109.tif 000005
【図４】
2007242109.tif 000006
【図５】
2007242109.tif 000007
【図６】
2007242109.tif 000008